【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
デジタル資産を中古販売する方法であって、
第１の消費者によるデジタル資産の第１の電子小売業者を通じた購入を少なくとも１つの第１のデバイス上での該第１の消費者への提示に向けて登録する段階であって、該デジタル資産が、出版社により出版され、電子小売業者が、消費者に該出版社により出版されたデジタル資産を販売する前記登録する段階と、
前記出版社による中古販売許可命令に応答して、前記第１の消費者が複数の電子小売業者を通じて電子中古デジタル資産として中古販売に向けて前記デジタル資産を提供することを可能にする段階と、
（ａ）電子小売業者、又は（ｂ）第２の消費者、又は（ｃ）デジタル資産を売り買いする別のエンティティのうちのいずれかによる前記電子中古デジタル資産の購入を更に登録する段階と、
を含むことを特徴とする方法。
【請求項２】
前記少なくとも１つの第１のデバイスが前記デジタル資産を提示するのを阻止する段階を更に含むことを特徴とする請求項１に記載の方法。
【請求項３】
前記阻止する段階は、前記少なくとも１つの第１のデバイスから前記デジタル資産を除去する段階を含むことを特徴とする請求項２に記載の方法。
【請求項４】
前記阻止する段階は、前記少なくとも１つの第１のデバイスが前記デジタル資産を提示するのを無効にする段階を含むことを特徴とする請求項２に記載の方法。
【請求項５】
前記第１の消費者、前記出版社、及び前記１つ又はそれよりも多くの電子小売業者のうちの１つ又はそれよりも多くの間での前記第２の電子小売業者又は前記第２の消費者又は別のエンティティにより支払われた購入価格の現金又は購入クレジットの割り当てを含む割り当てを判断する段階を更に含むことを特徴とする請求項１に記載の方法。
【請求項６】
前記割り当てを判断する段階は、前記第１の消費者に現金の金額を割り当てる第１のオプション及び該第１の消費者にその代わりにクレジットを同じか又はより高い金額で割り当てる第２のオプションを判断することを特徴とする請求項５に記載の方法。
【請求項７】
（ｉ）前記デジタル資産の指定された数のコピーが販売されたこと、（ｉｉ）該デジタル資産の販売から指定された収益がもたらされたこと、（ｉｉｉ）該デジタル資産の第１のリリース日付からの指定された期間が満了したこと、及び（ｉｖ）指定された日付が到来したことから構成される群のメンバ又はメンバの論理結合であるトリガイベントが発生した時に前記出版社から前記中古販売許可命令を自動的に発生させる段階を更に含むことを特徴とする請求項１に記載の方法。
【請求項８】
（ｉ）前記デジタル資産の指定された数のコピーが消費者による中古販売に向けて提供されたこと、（ｉｉ）該デジタル資産の指定された数のコピーが中古販売されたこと、（ｉｉｉ）指定された数の消費者が、中古販売に向けて該資産を提供したこと、及び（ｉｖ）指定された日付が到来したことから構成される群のメンバ又はメンバの論理結合であるトリガイベントが発生した時に前記中古販売許可を自動的に取り消す段階を更に含むことを特徴とする請求項１に記載の方法。
【請求項９】
前記デジタル資産の特定のコピーに対する前記中古販売許可を（ｉ）指定された期間が該資産の該コピーの第１の中古販売から経過したこと、（ｉｉ）該資産の該コピーの現在の所有者が該資産を取得してから指定された期間が経過したこと、及び（ｉｉｉ）該資産の該コピーの指定された数の中古販売が行われたことから構成される群のメンバ又はメンバの論理結合であるトリガイベントが発生した時に自動的に取り消す段階を更に含むことを特徴とする請求項１に記載の方法。
【請求項１０】
前記第１の消費者からの中古販売要求命令に応答して、電子中古デジタル資産としての中古販売に向けて前記デジタル資産を広告するように前記複数の電子小売業者に命令する段階を更に含むことを特徴とする請求項１に記載の方法。
【請求項１１】
前記出版社からの前記中古販売許可命令に応答して、前記第１の消費者から前記中古販売要求命令を自動的に発生させる段階を更に含むことを特徴とする請求項１０に記載の方法。
【請求項１２】
前記出版社からの前記中古販売許可命令は、前記デジタル資産を中古販売することができる消費者の数に対する限度を規定し、
前記可能にする段階は、中古販売に向けて前記デジタル資産を提供することを既に可能にされた他の消費者の数が該規定された限度よりも少ない時に限り実行される、
ことを特徴とする請求項１に記載の方法。
【請求項１３】
デジタル資産の中古販売のためのシステムであって、
（ｉ）各電子小売業者が消費者に１つ又はそれよりも多くの出版社により出版されたデジタル資産を販売する複数の電子小売業者のうちのいずれかの第１のものからの出版社により出版されるデジタル資産の第１の消費者による購入を少なくとも１つの第１のデバイス上での該第１の消費者への提示に向けて登録し、（ｉｉ）該出版社からの中古販売許可命令に応答して、該第１の消費者が該複数の電子小売業者の各々を通じて電子中古デジタル資産として中古販売に向けて該デジタル資産を提供することを可能にし、かつ（ｉｉｉ）（ａ）該複数の電子小売業者のいずれか１つ、（ｂ）第２の消費者、又は（ｃ）デジタル資産を売り買いする別のエンティティのうちのいずれかによる電子中古デジタル資産としての該デジタル資産の購入を更に登録するために、該複数の電子小売業者とインタフェースで接続する登録モジュール、
を含むことを特徴とするシステム。
【請求項１４】
前記少なくとも１つの第１のデバイスが前記デジタル資産を提示するのを阻止するために前記登録モジュールに結合した清算モジュールを更に含むことを特徴とする請求項１３に記載のシステム。
【請求項１５】
前記第１の消費者、前記出版社、及び前記１つ又はそれよりも多くの電子小売業者のうちの１つ又はそれよりも多くの間での前記第２の電子小売業者により又は前記第２の消費者により又は別のエンティティにより支払われた購入価格の現金又は購入クレジットの割り当てを含む割り当てを判断するために前記登録モジュールに結合した清算モジュールを更に含むことを特徴とする請求項１３に記載のシステム。
【請求項１６】
前記清算モジュールは、前記第１の消費者に現金の金額が割り当てられる第１のオプション及び該第１の消費者にその代わりに同じか又はより高い金額でクレジットが割り当てられる第２のオプションを判断することを特徴とする請求項１５に記載のシステム。
【請求項１７】
前記登録モジュールは、（ｉ）前記デジタル資産の指定された数のコピーが販売されたこと、（ｉｉ）該デジタル資産の販売からの指定された収益がもたらされたこと、（ｉｉｉ）該デジタル資産の第１のリリース日付からの指定された期間が満了したこと、及び（ｉｖ）指定された日付が到来したことから構成される群のメンバ又はメンバの論理結合であるトリガイベントが発生した時に前記中古販売許可命令を自動的に発生させることを特徴とする請求項１３に記載のシステム。
【請求項１８】
前記登録モジュールは、前記第１の消費者からの中古販売要求命令に応答して、電子中古デジタル資産としての中古販売に向けて前記デジタル資産を広告するように前記複数の電子小売業者に命令することを特徴とする請求項１３に記載のシステム。
【請求項１９】
前記出版社からの前記中古販売許可命令は、前記デジタル資産を中古販売することができる消費者の数に対する限度を規定し、
前記登録モジュールは、中古販売に向けて前記デジタル資産を提供することを可能にされた他の消費者の数が該規定された限度よりも少ない時に限り、前記第１の消費者が中古販売に向けて該デジタル資産を提供することを可能にする、
ことを特徴とする請求項１３に記載のシステム。
【請求項２０】
前記デジタル資産は、電子ブック、オーディオブック、ビデオ、歌、ゲーム、及びソフトウエアアプリケーションから構成される群のメンバであることを特徴とする請求項１３に記載のシステム。